(57)【特許請求の範囲】
【請求項１】
便座の下に設けられた基台通路と、
基台と、
前記基台通路に沿って前記基台を移動させる駆動機構と、
便座の上面に洗浄剤を噴射する噴射部と、
前記噴射部に洗浄剤を供給する洗浄剤供給源と、
前記噴射部が前記基台の前記基台通路での移動と連動するように、前記基台と前記噴射部とを接続する接続部と、
を有する便座洗浄装置。
【請求項２】
請求項１の便座洗浄装置において、
前記接続部は、前記便座の外側を経由する便座洗浄装置。
【請求項３】
請求項１または２の便座洗浄装置において、
内蓋と外蓋の二重構造の蓋を備える便蓋と、前記噴射部と前記洗浄剤供給源とを接続する洗浄剤供給管と、を更に有し、
前記洗浄剤供給管は、前記噴射部から前記内蓋を貫通して、前記内蓋と前記外蓋との間を経由して前記洗浄剤供給源に接続される便座洗浄装置。
【請求項４】
請求項１から３のいずれかの便座洗浄装置において、
前記基台が前記基台通路に沿って移動するとき、前記噴射部が前記便座の上方で回転可能である便座洗浄装置。
【請求項５】
請求項１から４のいずれかの便座洗浄装置において、
前記駆動機構は、前記基台に接続され、前記基台通路を周回するベルトと、前記便座の奥側に設置され、前記ベルトと連動する定滑車と、前記定滑車を動かす動力源とを備える便座洗浄装置。
【請求項６】
請求項１から５のいずれかの便座洗浄装置において、
前記基台は、前記便座の奥側に移動可能である便座洗浄装置。
【発明の詳細な説明】
【技術分野】
【０００１】  本発明は、洋式便器の便座を洗浄できる便座洗浄装置に関する。
【背景技術】
【０００２】  洋式便器の便座を洗浄できる便座洗浄装置が特許文献１に記載されている。この便座洗浄装置は、便座の外側に便座の形状に沿って設けられるガイド部を備え、このガイド部に案内されて便座の奥側と前側との間をノズルが移動し、便座の上面に洗浄液を吹き付けるように構成されている。特許文献１に記載された便座洗浄装置は、便座の外側にガイド部が設けられているため、便座に腰掛けて便器を使用する際、ガイド部が邪魔になってしまう。
【先行技術文献】
【特許文献】
【０００３】
【特許文献１】特許第４２４９２４５号公報
【発明の概要】
【発明が解決しようとする課題】
【０００４】  本発明は、このような事情に鑑みてなされたものであり、便器の使用時に邪魔にならない便座洗浄装置を提供することを目的とする。
【課題を解決するための手段】
【０００５】  本発明の便座洗浄装置は、便座の下に設けられた基台通路と、基台と、前記基台通路に沿って前記基台を移動させる駆動機構と、便座の上面に洗浄剤を噴射する噴射部と、前記噴射部に洗浄剤を供給する洗浄剤供給源と、前記噴射部が前記基台の前記基台通路での移動と連動するように、前記基台と前記噴射部とを接続する接続部と、を有する。【０００６】  本発明の便座洗浄装置において、前記接続部は、前記便座の外側を経由することが好ましい。また、本発明の便座洗浄装置において、内蓋と外蓋の二重構造の蓋を備える便蓋と、前記噴射部と前記洗浄剤供給源とを接続する洗浄剤供給管と、を更に有し、前記洗浄剤供給管は、前記噴射部から前記内蓋を貫通して、前記内蓋と前記外蓋との間を経由して前記洗浄剤供給源に接続されることが好ましい。【０００７】  また、本発明の便座洗浄装置において、前記基台が前記基台通路に沿って移動するとき、前記噴射部が前記便座の上方で回転可能であることが好ましい。また、本発明の便座洗浄装置において、前記駆動機構は、前記基台に接続され、前記基台通路を周回するベルトと、前記便座の奥側に設置され、前記ベルトと連動する定滑車と、前記定滑車を動かす動力源とを備えることが好ましい。また、本発明の便座洗浄装置において、前記基台は、前記便座の奥側に移動可能であることが好ましい。
【発明の効果】
【０００８】  本発明によれば、便座に腰掛けて便器を使用する際、邪魔にならない便座洗浄装置が得られる。
【図面の簡単な説明】
【０００９】
【図１】便器に装着された本発明の実施形態に係る便座洗浄装置の左側面図である。
【図２】便器に装着された本発明の実施形態に係る便座洗浄装置の部分正面図である。
【図３】便器に装着された本発明の実施形態に係る便座洗浄装置の平面図である。
【図４】便器に装着された本発明の他の実施形態に係る便座洗浄装置の左側面図である。
【発明を実施するための形態】
【００１０】  以下、本発明の便座洗浄装置について、図に示す実施形態に基づいて説明する。なお、図面は便座洗浄装置、便座洗浄装置の部材、および便座洗浄装置の周辺部材等を模式的に表したものであり、これらの実際の寸法および寸法比は、図面上の寸法および寸法比と必ずしも一致していない。
【００１１】  図１は、便器１２に装着された便座洗浄装置１０の側面図で、便器１２に向かって左の側面図である。なお、「便器に向かって」は、男性が立ったまま小用を足すときに便器に対して向く方向を示す。図２は、便器１２に装着された便座洗浄装置１０の部分正面図で、便器１２に向かって右側の便座２６周辺を現している。なお、図１および図２では、説明を分かりやすくするため、部材の表示を適宜省略している。また、図１および図２では、部材の断面を表示している部分がある。
【００１２】  便座洗浄装置１０は、基台通路１４と、基台１６と、駆動機構１８と、噴射部２０と、洗浄剤供給源であるタンク２２と、接続部２４とを備える。便器１２の上であって便座２６の下には、基台通路１４が便座２６に沿うように設けられている。基台通路１４を便座２６の下に設けることによって、便器１２を使用する際、特に便座２６に腰掛けて便器１２を使用する際に邪魔にならない。基台通路１４は、内壁２７と外壁２８と底板４０で区画される。
【００１３】  基台１６は、直方体形状を有する金属やプラスチック等からなる。基台１６は、基台通路１４に沿って移動できるように構成されている。基台１６が底板４０上を移動しやすいように、基台１６の底面にコロや球体等を設けても良い。基台１６は、便座２６の奥側に移動可能である。このため、便座洗浄装置１０を動作させないときに、基台１６を便座２６の奥側に移動させておけば、便器１２を使用する際、特に便座２６に腰掛けて便器１２を使用する際に邪魔にならない。
【００１４】  駆動機構１８は、基台通路１４に沿って基台１６を移動させる。駆動機構１８は、基台１６の内部を通り基台１６に固定されたベルト４２と、便座２６の奥側に設置され、ベルト４２と連動する定滑車４４と、定滑車４４の動力源であるモーター４６とを備える。モーター４６には、両方向の回転ができるような電源（不図示）が接続されている。本実施形態では、ベルト４２と定滑車４４を用いたが、これらに代えて、チェーンと歯車を用いてもよい。
【００１５】  また、本実施形態ではベルト４２が基台１６の内部を通っているが、ベルト４２は基台１６の外側を通って基台１６に固定されていても良いし、基台１６の両端面にベルト４２の両端部をそれぞれ接続しても良い。また、本実施形態では定滑車４４を１個使用したが、定滑車４４を２個以上使用しても良い。基台１６の移動の仕組みの詳細については後述する。
【００１６】  噴射部２０は、便座２６の上面に洗浄剤を噴射する。噴射部２０は、洗浄剤の噴出口が複数設けられたプラスチック製のノズルから構成される。便座２６の上面に洗浄剤を噴射することができれば、噴射部２０はプラスチック製のノズル以外であっても良い。噴射部２０は、洗浄剤供給管であるホース４８を介して、タンク２２と接続されている。タンク２２には、洗浄剤が蓄えられている。
【００１７】  すなわち、タンク２２からホース４８を経由して、噴射部２０に洗浄剤が供給される。ポンプ等を使用することによって、タンク２２からホース４８へ洗浄剤を供給する。洗浄剤としては、水、湯、水蒸気、洗剤、殺菌剤、消毒剤、およびこれらの２種類以上の混合物等が挙げられる。
【００１８】  本実施形態では、タンク２２から温風も供給できるようになっている。タンク２２から供給された温風は、ホース４８を経由して噴射部２０から便座２６の上面に噴射される。温風を便座２６の上面に噴射することによって、便座２６に噴射された洗浄剤を乾燥させることができる。
【００１９】  本実施形態では、基台１６が基台通路１４に沿って移動する際、便座２６の上方で、噴射部２０が略水平面内で回転可能に構成されている。基台１６が基台通路１４に沿って移動しながら、噴射部２０が便座２６の上方で回転することによって、噴射部２０を小型化しても便座２６の上面全体を洗浄することができる。このため、噴射部２０や便座洗浄装置１０の小型化が可能となる。
【００２０】  噴射部２０が便座２６の上方で回転できる構造は、以下の通りである。すなわち、接続部２４の上にはモーター５６が設置されており、モーター５６から下方向に突出したモーター５６の回転軸５８には、金属製またはプラスチック製等の棒状部材７０の中心部が接続されている。棒状部材７０の一端には、噴射部２０が接続されている。
【００２１】  電源（不図示）から電力を供給してモーター５６を作動させると、棒状部材７０は、その軌跡が円板状に現れるように、すなわち噴射部２０の軌跡が円形となるように回転する。なお、噴射部２０自体も棒状部材７０の一端に接続された状態で、動力がなくてもその場で回転できるように構成されている。噴射部２０が回転自在に構成されているため、棒状部材７０が回転しながら便座２６を洗浄する際、ホース４８が噴射部２０や接続部２４等に絡まるのを抑えることができる。
【００２２】  図２に示すように、接続部２４は、断面コ字形状を有する金属製またはプラスチック製等の板状部材からなる。接続部２４は、噴射部２０が基台１６の基台通路１４での移動と連動するように、基台１６と噴射部２０とを接続する。本実施形態では、基台１６に一方の端が接続された接続部２４は、便座２６の外側を経由して、もう一方の端が噴射部２０に間接的に接続している。
【００２３】  本実施形態では、便座洗浄装置１０は便蓋５０を更に備える。便蓋５０は、内蓋５２と外蓋５４の二重構造を備える。噴射部２０に接続されたホース４８は、噴射部２０から内蓋５２の中心付近を貫通して、内蓋５２と外蓋５４との間を経由してタンク２２に接続される。ホース４８を便蓋５０の二重構造の内部に収納することによって、見栄えが良くなる。また、便蓋５０を透明部材で構成すれば、便蓋５０を閉じて便座を洗浄する際、洗浄の様子が観察できる。
【００２４】  つぎに、便座洗浄装置１０の使用方法について、図１から図３に基づいて説明する。図３は、便器１２に装着された便座洗浄装置１０の部分平面図である。図３では、説明を分かりやすくするため、便座２６と便蓋５０等の部材の表示が適宜省略されている。便座洗浄装置１０は便器１２を使用していない時に作動させる。また、便座洗浄装置１０は、便蓋５０を閉じた状態で作動させる。洗浄剤が便器１２の周囲に飛散するのを防ぐためである。
【００２５】  まず、基台１６を便座２６の奥側、例えば便器１２に向かって右奥側に配置し、便蓋５０を閉じた状態にする。そして、電源（不図示）から電力を自動または手動でモーター４６，５６に供給すると共に、タンク２２から洗浄剤を噴射部２０に供給する。そうすると、モーター４６が作動して定滑車４４が回転し、ベルト４２が動いて、基台通路１４に沿って基台１６が移動する。同時に、モーター５６が作動して、噴射部２０が便座２６の上方で回転する。こうして、噴射部２０は、便座２６の上方で回転しながら便座２６の上面に洗浄剤を噴射しつつ、便座２６に沿って移動する。
【００２６】  その後、便器１２に向かって左側の便座２６の奥まで基台１６が移動すると、手動または自動でモーター４６，５６への電力供給を停止し、基台１６の移動と、便座２６の上面への洗浄剤の噴射を終了させる。次回の便座２６の洗浄の際には、便座２６の左奥側から便座２６に沿って基台１６が移動し、便座２６の右奥側に到達する。つまり、次回の便座洗浄の際、基台１６の移動方向は、今回の便座洗浄時の基台１６の移動方向と逆方向になる。
【００２７】  以上、実施形態に基づき、本発明の便座洗浄装置について説明したが、本発明の便座洗浄装置は上述した実施形態に限定されない。図４は、便器１２に装着された他の実施形態に係る便座洗浄装置８０の左側面図である。便座洗浄装置８０は、便座洗浄装置１０に加えて、便器１２の内側を洗浄するためのノズル８２と、ノズル８２に接続されたホース８４と、ホース８４を巻き取るホースリール８６等を備える。
【００２８】  ホース８４はタンク２２に接続され、タンク２２からノズル８２に水が供給されるようになっている。ノズル８２は、ロッドアンテナのように下方に伸縮自在に構成されている。便器１２の内側を洗浄するときには、ノズル８２がモーター等の駆動機構（不図示）によって下方に伸長し、ノズル８２が便器１２の内側付近に配置され、ノズル８２から便器１２の内側に水が噴出される。便座洗浄装置８０では、便座２６を洗浄しながら、便器１２の内側も洗浄できる。
【符号の説明】
【００２９】  １０，８０…便座洗浄装置、１２…便器、１４…基台通路、１６…基台、１８…駆動機構、２０，７４…噴射部、２２…タンク、２４…接続部、２６…便座、２７…内壁、２８…外壁、４０…底板、４２…ベルト、４４…定滑車、４６…モーター、４８，８４…ホース、５０…便蓋、５２…内蓋、５４…外蓋、５６…モーター、５８…回転軸、７０…棒状部材、８２…ノズル、８６…ホースリール
【要約】
【課題】便座に腰掛けて便器を使用する際、邪魔にならない便座洗浄装置を提供する。
【解決手段】便座洗浄装置１０は、便座２６の下に設けられた基台通路１４と、基台１６と、基台通路１４に沿って基台１６を移動させる駆動機構１８と、便座２６の上面に洗浄剤を噴射する噴射部２０と、噴射部２２に洗浄剤を供給する洗浄剤供給源であるタンク２２と、噴射部２０が基台１６の基台通路１４での移動と連動するように、基台１６と噴射部２０とを接続する接続部１４を有する。駆動機構１８は、基台１６に接続され、基台通路１４を周回するベルト４２と、便座２６の奥側に設置され、ベルト４２と連動する定滑車４４と、定滑車４４の動力源であるモーター４６を備える。
【選択図】図１【図１】
0004654466.tif 000002
【図２】
0004654466.tif 000003
【図３】
0004654466.tif 000004
【図４】
0004654466.tif 000005